(57)【特許請求の範囲】
【請求項１】
リール本体の駆動軸に連結されるハンドルアームの端部に回転可能に設けられる支軸と該支軸に装着される握部とにより構成される略Ｔ形状の操作ノブを備えて成る魚釣用リールにおいて、
前記操作ノブの前記握部は、握部本体と、前記握部の長さを調整するために前記握部本体の長手方向端部に着脱自在に取り付けられる調整握部材とを有し、
前記握部は、該握部に向かってスカート状に広がる外周面を有する前記支軸に対して傾斜した状態で保持され、その長手方向にわたって端部に向けて先細る砲弾形状に形成されて成るとともに、それが装着される前記支軸に対して一方側に延在する第１の延在部が他方側に延在する第２の延在部よりも長く形成され、前記第１の延在部で前記調整握部材が前記握部本体に着脱され、前記握部本体及び前記調整握部材が互いに連通する空洞部を内側に有することを特徴とする魚釣用リール。
【請求項２】
魚釣用リールのリール本体の駆動軸に連結されるハンドルアームの端部に着脱可能な略Ｔ形状のハンドル操作ノブにおいて、
前記ハンドルアームに着脱可能に取り付けられる支軸と、該支軸に装着される握部とから構成され、前記握部は、握部本体と、前記握部の長さを調整するために前記握部本体の長手方向端部に着脱自在に取り付けられる調整握部材とを有し、
前記握部は、該握部に向かってスカート状に広がる外周面を有する前記支軸に対して傾斜した状態で保持され、その長手方向にわたって端部に向けて先細る砲弾形状に形成されて成るとともに、それが装着される前記支軸に対して一方側に延在する第１の延在部が他方側に延在する第２の延在部よりも長く形成され、前記第１の延在部で前記調整握部材が前記握部本体に着脱され、前記握部本体及び前記調整握部材が互いに連通する空洞部を内側に有することを特徴とするハンドル操作ノブ。
【発明の詳細な説明】
【技術分野】
【０００１】
本発明は、ハンドルの操作により釣糸をスプールに巻回する魚釣用リールに関し、特に、ハンドルに特徴を有する魚釣用リール及びそのハンドル操作ノブに関する。
【背景技術】
【０００２】
魚釣用リールにおける釣糸巻き取り操作は、その種類（例えば、スピニングリールや両軸受型リール）にかかわらず、巻き取り機構に連結されたハンドルの略Ｔ形状の操作ノブを握持して回転操作することにより行なわれる。
【０００３】
例えば、メタルジグやラバージグ等の疑似餌を使った釣法、いわゆるジギングでは、釣人は、釣竿と共にリール本体を握持、保持した状態でシャクリ操作を頻繁に繰り返すとともに、魚が掛かった後は、場合により例えば釣竿を船べりに保持させるなどして、ハンドルを強く握ってハンドルの巻き取り操作を行なう場合もある。
【０００４】
ところで、このようなジギングなどにおいては、疑似餌に掛かった魚とのファイティング操作も激しいことから、ハンドルを確実にホールドすることができ、長期間使用しても負担がかからないことが望まれる。また、このような実釣時においては、釣人の手の形や大きさの違い、あるいは、釣りの対象魚等によって、ハンドル操作ノブの握部に対する手の握持感も変化する。
【０００５】
そのため、略Ｔ形状の操作ノブの軸部を人差し指と中指との間に挟んで操作ノブの握部を握ることで力を入れての巻き取り操作を可能とするべく、操作ノブの握部の形状を大きな砲弾状に形成したり（例えば、特許文献１参照）、あるいは、操作ノブの握部の長さ方向の端部の調節摘みを出没自在として握部全体の長さを調節可能としたもの（例えば、特許文献２参照）などが従来から知られている。
【先行技術文献】
【特許文献】
【０００６】
【特許文献１】特開２００３−２３０３３４号
【特許文献２】実開平２−３４１６８号
【発明の概要】
【発明が解決しようとする課題】
【０００７】
しかしながら、特許文献１に開示されるハンドルの操作ノブは、握部の大きさや形状が一定であるため、握感の調整ができず、フィット感の良い状態でハンドルの巻き取り回転操作を行なうことが難しい場合がある。
【０００８】
一方、特許文献２では、調節摘みの出没によって握感の調整が可能であるものの、握部の直線状の伸縮（突没）をもたらす構造に起因して握部の端面と調節摘みとの間に隙間が生じ、この隙間により、握持フィット感が悪いとともに、長時間ハンドルを操作していると掌や指が痛くなってしまう場合もある。また、前記隙間からゴミが内部に侵入して、出没動作に支障を来すことも考えられる。
【０００９】
本発明は、上記した問題に着目してなされたものであり、握感の調整が可能であるとともに、握り易く握持フィット感が良好な握持保持を可能にする操作性が良好なハンドルを備えた魚釣用リール及びそのハンドル操作ノブを提供することを目的とする。
【課題を解決するための手段】
【００１０】
上記した目的を達成するために、本発明は、リール本体の駆動軸に連結されるハンドルアームの端部に回転可能に設けられる支軸と該支軸に装着される握部とにより構成される略Ｔ形状の操作ノブを備えて成る魚釣用リールにおいて、前記操作ノブの前記握部は、握部本体と、前記握部の長さを調整するために前記握部本体の長手方向端部に着脱自在に取り付けられる調整握部材とを有し、前記握部は、該握部に向かってスカート状に広がる外周面を有する前記支軸に対して傾斜した状態で保持され、その長手方向にわたって端部に向けて先細る砲弾形状に形成されて成るとともに、それが装着される前記支軸に対して一方側に延在する第１の延在部が他方側に延在する第２の延在部よりも長く形成され、前記第１の延在部で前記調整握部材が前記握部本体に着脱され、前記握部本体及び前記調整握部材が互いに連通する空洞部を内側に有することを特徴とする。
【００１１】
上記構成によれば、握部の長さを調整するための調整握部材が握部本体の長手方向端部に着脱自在に取り付けられるようになっているため、調整握部材によって握部の長さを調整して握感を調整することが可能になる。例えば、長さが異なる交換可能な調整握部材を複数用意して、これらの調整握部材を選択的に握部本体に取り付ければ、釣況に応じた適切な握持保持、すなわち、握り易い良好な握持フィット感を実現できる。この場合、複数用意される調整握部材はそれぞれ、互いに長さが異なることは勿論のこと、色や材質あるいは形状などが異なっていても構わない。
【００１２】
また、上記構成において、調整握部材は、前述した特許文献２のように握部本体に対して出没するのではなく、握部本体に対して着脱自在であるため、握持フィット感を阻害するような隙間を生じさせることがなく、そのため、握り易く握持フィット感が良好な握持保持を可能にして、ハンドル操作性を向上させることができる。したがって、例えばシャクリ操作や魚とのファイティング操作において操作ノブを強く長時間掌で保持した場合であっても、痛みや疲労を伴うことなく常に良好なフィット感をもって握って巻き取り操作を力強く行なうことができる。また、握持フィット感を阻害するような隙間が生じないため、そのような隙間に異物が付着するといった不都合が生じることもなく、仮に握部の内部に異物等が侵入した場合であっても調整握部材を握部本体から容易に取り外して洗浄等のメンテナンスを簡単に行なうことができる。
【００１３】
なお、上記構成において、調整握部材は、その端部外周が握部本体の長手方向端部内周とインロー嵌合されることにより握部本体に連結されてもよい。この場合には、調整握部材と握部本体との着脱部での隙間の形成を抑えることができ、良好な握持フィット感に寄与できる。また、このようなインロー嵌合では、調整握部材の端部外周に設けられる雄ネジが握部本体の長手方向端部内周に設けられる雌ネジに螺合されてもよい。この場合、そのような螺合の雄雌関係により、小径の調整握部材と大径の握部本体との間に段差が生じ易くなるため、この段差によって良好な握持フィット感（握持保持力）を得ることも可能になる。なお、インロー嵌合部には、調整握部材と握部本体とにより形成される握部内部をシール状態に保つため及び／又は調整握部材の弛緩防止のために、握部本体と調整握部材との間にＯリングが介挿されることが好ましい。
【００１４】
また、上記構成において、握部は、その長手方向にわたって端部に向けて先細る砲弾形状に形成されて成る。このような形状によれば、握部の握持フィット感を更に向上させることができる。また、握部は、それが装着される支軸に対して一方側に延在する第１の延在部が他方側に延在する第２の延在部よりも長く形成されるとともに、第１の延在部で調整握部材が握部本体に着脱される。このような握部形態によれば、支軸に対する重心の関係上、常時下方に位置して握り易い握部本体の握持力、握感を状況に応じて変更可能であるため、実釣時の操作ノブの巻き取り回転操作性が一段と向上される。
【００１５】
また、上記構成では、握部本体及び調整握部材が内側に空洞部を有する。これにより、握部の軽量化を図ることができる。また、上記構成では、調整握部材の端面に、握部本体に対する調整握部材の着脱作業用の部材が係合される係合部が形成されてもよい。そのような係合を有していれば、握部本体に対する調整握部材の着脱が容易になる。また、調整握部材の端面に、調整握部材の内側に連通する貫通穴が形成されてもよく、そのような貫通穴は、握部内部に侵入した水等の異物の自然な排出を容易にする。なお、係合部は、調整握部材の端面の径方向内方位置に形成することにより、握持の際に違和感がなく好ましい。
【００１６】
なお、本発明は、上記構成の特徴を有するハンドル操作ノブ及び調整握部材も提供する。
【発明の効果】
【００１７】
本発明によれば、握感の調整が可能であるとともに、握り易く握持フィット感が良好な握持保持を可能にする操作性が良好なハンドルを備えた魚釣用リール及びそのハンドル操作ノブが得られる。
【図面の簡単な説明】
【００１８】
【図１】本発明に係る魚釣用リールの一例としての両軸受型リールの一実施形態を示す平面図。
【図２】図１に示される両軸受型リールの側面図（反ハンドル側の左側面図）。
【図３】図１の両軸受型リールのハンドル操作ノブの要部拡大断面図。
【図４】図３の操作ノブを構成する握部の握部本体の断面図。
【図５】（ａ）は図４の握部本体に着脱可能な調整握部材の正面図、（ｂ）は（ａ）の調整握部材の断面図。
【発明を実施するための形態】
【００１９】
以下、図１〜図５を参照して、本発明に係る魚釣用リールの一実施形態を両軸受型リールを例にとって詳しく説明する。なお、以下の説明において、前後方向及び左右方向は、図１に記載の方向と定義し、また、上下方向は、図２に記載の方向と定義する。
【００２０】
図１及び図２に示されるように、本実施形態に係る両軸受型リールは、例えば、スプールに釣糸を平行に巻回するレベルワインド装置が設けられることなくジギングする上で最適な構造となるように構成されたものであり、リール本体１は、左側板１Ａ、右側板１Ｂ、及び、両側板１Ａ，１Ｂ間に回転自在に支持したスプール３を備えている。本実施形態では、右側板１Ｂ側にハンドル５を設けており、ハンドル５を巻き取り操作することでスプール３を回転駆動する構成となっている（右ハンドル式）。なお、スプール３は、釣糸が巻回される釣糸巻回胴部３ｂと、その両側に形成されて左側板７Ａに隣接するフランジ３ａとを備えており、釣糸巻回胴部３ｂに巻回される釣糸は、フランジ３ａによってその巻回容量が特定される。
【００２１】
リール本体１は、左右の側板１Ａ，１Ｂを構成するフレーム７を備えている。このフレーム７は、例えば、アルミニウム合金の金属材等によって一体形成されており、左側板（反ハンドル側の側板）１Ａそのものを構成すると共に、後述するカバー体１５を装着した状態で右側板１Ｂを構成している。すなわち、フレーム７は、左側板７Ａと右枠体７Ｂを備えており、左側板７Ａがリール本体１の左側板１Ａを構成し、右枠体７Ｂにカバー体１５を装着することでリール本体１の右側板１Ｂを構成する。しかしながら、側板１Ａ，１Ｂの形態はこのようなフレーム構造に限定されない。
【００２２】
一例としての前記フレーム構造において、フレーム７は、左側板７Ａと右枠体７Ｂとを連結する連結部を備えている。本実施形態では、スプール３の前方に前連結部７Ｃ、スプール３の後方に後連結部７Ｄ、及び、スプール３の下方に隣接して２つの下連結部７Ｅが設けられており、これらの連結部は、左側板７Ａ及び右枠体７Ｂと共に一体形成されている。なお、下連結部７Ｅには、釣竿のリールシートに装着されるリール脚８が一体的に装着されている（リール脚はフレーム７と一体形成されていてもよい）。
【００２３】
フレーム７の左側板７Ａは、図２に示されるように、外周形状が側面視円形状に構成されている。左側板７Ａは、内部が中実構造で薄肉厚化されており、釣竿を握持、保持している手の掌が外側面７ａに当接し、その手の親指が外周端面（円周面）７ｂに載置されてホールドされる略円柱形状になっている。本実施形態では、ホールド性（掌が当たる感触）が向上するように、外側面７ａは軸方向に多少膨出しており、また、外周端面７ｂに載置した親指が外側面７ａとの間で違和感が生じないように、外周端面７ｂの外側には、外側面７ａに移行するように傾斜した円周テーパ７ｃが形成されている。また、外周端面７ｂに載置した親指がスムーズにサミング操作へと移行できるように、外周端面７ｂの内側（スプール３側）には、左側板７Ａに隣接するスプール３のフランジ３ａ側へ滑らかに移行するように傾斜した面取り部７ｄが形成されている。
【００２４】
さらに、本実施形態では、左側板７Ａ内に、スプール３の釣糸繰り出し方向の回転を阻止する公知のスプールストッパが設置されており、このスプールストッパは、左側板７Ａの外側面７ａから突出するスライドレバー１２ａを有する。
【００２５】
また、リング状の右枠体７Ｂは、左側板７Ａと同様、側面視で円形状に構成されており、その外径は、左側板７Ａの外径よりも大きく形成されている。すなわち、ハンドル側の側板１Ｂには、ハンドルの回転駆動力をスプールに伝達する巻き取り駆動機構、ドラグ機構、クラッチ機構等、各種の機能部品が収容されることから、リール本体１は、左側板１Ａ（７Ａ）の外径よりも右側板１Ｂ（右枠体７Ｂ）の外径の方が大きい構成となっている。なお、図１及び図２中、２９は、スプール３の回転に制動力を付与する公知の制動装置、５５は、スプール３から繰り出される釣糸に対して所望の制動力を付与する公知のドラグ機構のノブ、７１は、スプール３を巻き取り状態／フリー回転状態に切り換える公知のクラッチ機構の操作部材７１である。
【００２６】
ハンドル側の側板１Ｂ内に収容される前記巻き取り駆動機構は、図示しないハンドル軸（駆動軸）と、該ハンドル軸に回転可能に装着された図示しない公知のドライブギアやピニオンギアを備える。前記ハンドル軸には、その端部に、巻き取り操作されるハンドル５が装着されており、ハンドル５は、前記ハンドル軸に回転不能に（ハンドル軸と一体回転するように）連結されるハンドルアーム３０と、ハンドルアーム３０の端部に着脱可能（着脱不能であっても構わない）に設けられる略Ｔ形状のハンドル操作ノブ（以下、単に操作ノブという）４０とから構成される。また、操作ノブ４０は、ハンドルアーム３０の端部の軸部４１に回転可能に設けられる支軸３１と、支軸３１に装着される握部３２とにより構成されている。
【００２７】
具体的に、図３〜図５に詳しく拡大して示されるように、ハンドル５の操作ノブ４０を構成する支軸３１は、筒状に形成されるとともに、その一端側の基部内周がシール部材８８を介してハンドルアーム３０の端部に固着された軸部４１に対して回転可能に挿通保持されており、この軸部４１を介してハンドルアーム３０に回転可能に取り付けられて、ハンドルアーム３０から略垂直に延びている。また、支軸３１の他端側は、軸部４１に対して締結具（ボルト）４９により抜け止め保持固定される。そして、ハンドルアーム３０から略垂直に延びるこの支軸３１の他端側の外周に握部３２が着脱可能に螺着されて握部３２が支軸３１に対して略垂直に（図では、握部３２が支軸３１の長手方向中心軸線に対して所定の角度を成して幾分傾けられた状態で）保持されることにより、略Ｔ形状の操作ノブ４０が構成されている。無論、操作ノブ４０は、略Ｔ形状以外の任意の形状を成していても構わない。なお、支軸３１と握部３２との間の着脱構造は、例えば、支軸３１の他端側の外周に形成される雄ネジ部３１ｃが握部３２（後述する握部本体５６）に設けられる取り付け孔５６ｂ（握部３２の長手方向中心軸線に対して斜めに延びる）の内周に形成される雌ネジ部５６ｄに挿通されて螺合されるなど、螺合を含む任意の手段により着脱可能に一体的に取り付け固定されることによってなされる。また、支軸３１は、握部３２に向かってスカート状に滑らかに外径が広がるように延びる外周面（Ｒ面）３１ａを有しており、これにより、この部位での握持保持性を向上させている。また、支軸３１のハンドルアーム３０側の基部外周は非円形部３１ｂ（例えば、六角形又は八角形）として形成されており、スパナ等の工具で回り止めした状態で握部３２を回転させることにより支軸３１に対して螺着したり螺合状態が脱外される。
【００２８】
操作ノブ４０を構成する握部３２は、その長手方向にわたって端部に向けて先細る砲弾形状に形成されて成り、握部本体５６と、握部３２の長さ（握部３２の長手軸方向に沿う長さ）を調整するために握部本体５６の長手方向端部に着脱自在に取り付けられる調整握部材５７とを有する。この場合、握部３２は、支軸３１に対して一方側に延在する第１の延在部３２Ａが他方側に延在する第２の延在部３２Ｂよりも長く形成され、第１の延在部３２Ａで調整握部材５７が握部本体５６に着脱されている。なお、握部本体５６及び調整握部材５７は、その軽量化を図るために、その内側に空洞部Ｓを有する。これらの空洞部Ｓは、握部本体５６と調整握部材５７とにわたって互いに連通してもよく、或いは、連通しない独立した区画室として形成されていても構わない。
【００２９】
握部本体５６の長手方向端部に対する調整握部材５７の着脱は、螺合等の任意の様々な手段によって行なわれる。例えば、本実施形態において、調整握部材５７は、その端部外周が握部本体５６の長手方向端部内周とインロー嵌合されることにより握部本体５６に連結されるようになっており、調整握部材５７の端部外周面５７ａに設けられる雄ネジ６３（図５参照）が握部本体５６の長手方向端部内周面５６ｃに設けられる雌ネジ６２（図４参照）に螺合される。なお、図３に示されるように、インロー嵌合部５２には、調整握部材５７と握部本体５６との間の隙間を無くして握部３２内部をシール状態に保つため及び／又は調整握部材５７の弛緩防止のために、握部本体５６と調整握部材５７との間にＯリング５０が介挿される。この場合、Ｏリング５０は、調整握部材５７の端部外周面に形成される環状溝５７ｂ内に装着される。
【００３０】
また、図５に示されるように、調整握部材５７の端面５７ｃの径方向内方の位置には、握部本体５６に対する調整握部材５７の着脱作業用の工具等の部材（図示せず）が係合される係合部９２が形成される。この係合部９２は、例えば、マイナスのドライバが係合できる図示のような直線状の溝であってもよい。また、調整握部材５７の端面５７ｃには、調整握部材５７の内側（空洞部Ｓ）に連通する貫通穴３９が形成されてもよいが、形成されなくても構わない。この貫通穴３９は、握部３２内部に侵入した水等の異物の自然な排出を容易にする。なお、貫通穴３９を着脱作業用の専用部材が係合される係合部として利用してもよい。
【００３１】
また、握部３２には、その第２の延在部３２Ｂの端部にキャップ７５を有してもよい。このキャップ７５は、握部３２の握部本体５６の端部に形成される取り付け孔５６ａ内に挿入されて握部本体５６に取り外し不能に固定されてもよいが、例えば図４に示されるようなネジ部５６ａを介して着脱可能であってもよい。そのような着脱自在な形態では、調整握部材５７と同様、キャップ７５は、握部３２の長さを調整するための調整部材として機能してもよい。
なお、ハンドルアーム３０に対して操作ノブ４０を装着する場合は、支軸３１をハンドルアーム３０の端部に固着した軸部４１に挿通した後、締結具（ボルト）４９を螺合して支軸３１を軸部４１に回転可能に抜け止め保持する。次に、支軸３１の基部外周に形成した非円形部３１ｂを工具等で挟持して回り止めした状態で握部３２の雌ネジ部５６ｄを支軸３１の雄ネジ部３１ｃに螺着（反時計回り方向で締結）固定する。操作ノブ４０の取り外しは上記方法の逆の手順で行なう。
【００３２】
以上説明したように、本実施形態によれば、握部３２の長さを調整するための調整握部材５７が握部本体５６の長手方向端部に着脱自在に取り付けられるようになっているため、調整握部材５７によって握部３２の長さを調整して（例えば、図１に二点鎖線で示されるように握部３２を握る手１００から握部３２（調整握部材５７）の下端が突出する程度の長さに調整することが好ましい）握感を調整することが可能になる。例えば、長さが異なる交換可能な調整握部材５７，５７’（図３の二点鎖線参照）を複数用意して、これらの調整握部材５７，５７’を選択的に握部本体５６に取り付ければ、釣況に応じた適切な握持保持、すなわち、握り易い良好な握持フィット感を実現できる。この場合、複数用意される調整握部材５７，５７’はそれぞれ、互いに長さが異なることは勿論のこと、色や材質あるいは形状などが異なっていても構わない。
【００３３】
また、本実施形態において、調整握部材５７は、前述した特許文献２のように握部本体５６に対して出没して長さを単に調節するのではなく、握部本体５６に対して握部３２の一部を着脱自在であるため、握持フィット感を阻害するような隙間を生じさせることがなく、そのため、握り易く握持フィット感が良好な握持保持を可能にして、ハンドル操作性を向上させることができる。したがって、例えばシャクリ操作や魚とのファイティング操作において操作ノブを強く長時間掌で保持した場合であっても、痛みや疲労を伴うことなく常に良好なフィット感をもって握って巻き取り操作を力強く行なうことができる。また、握持フィット感を阻害するような隙間が生じないため、そのような隙間に異物が付着するといった不都合が生じることもなく、仮に握部の内部に異物等が侵入した場合であっても調整握部材５７を握部本体５６から容易に取り外して洗浄等のメンテナンスを簡単に行なうことができる。
【００３４】
また、本実施形態において、調整握部材５７は、その端部外周が握部本体５６の長手方向端部内周とインロー嵌合されることにより握部本体５６に連結されているため、調整握部材５７と握部本体５６との着脱部での隙間の形成を抑えることができ、良好な握持フィット感に寄与できる。また、このようなインロー嵌合において、調整握部材５７の端部外周に設けられる雄ネジ６３が握部本体５６の長手方向端部内周に設けられる雌ネジ６２に螺合されているため、そのような螺合の雄雌関係により、小径の調整握部材５７と大径の握部本体５６との間に段差が生じ易くなり、この段差によって良好な握持フィット感（握持保持力）を得ることも可能になる。
【００３５】
また、本実施形態において、握部３２は、その長手方向にわたって端部に向けて先細る砲弾形状に形成されて成るため、握部の握持フィット感を更に向上させることができる。また、握部３２は、それが装着される支軸３１に対して一方側に延在する第１の延在部３２Ａが他方側に延在する第２の延在部３２Ｂよりも長く形成されるとともに、第１の延在部３２Ａで調整握部材５７が握部本体５６に着脱されるため、支軸に対する重心の関係上、常時下方に位置して握り易い握部本体の握持力、握感を状況に応じて変更可能となり、実釣時の操作ノブの巻き取り回転操作性が一段と向上される。
【００３６】
また、本実施形態では、調整握部材５７の端面５７ｃに、握部本体５６に対する調整握部材５７の着脱作業用の部材が係合される係合部９２が形成されているため、握部本体５６に対する調整握部材５７の着脱が容易になる。
【００３７】
以上、本発明の実施形態について説明したが、本発明は、上記した実施形態に限定されることはなく、種々変形することが可能である。例えば、前述した実施形態では、本発明が両軸受型リールに適用されているが、スピニングリールに本発明を適用することもできる。また、前述した実施形態では、握部本体５６に対する調整握部材５７の着脱が螺合によるものであったが、これに限定されず、カム係合、止めネジ方式等、着脱形態は任意である。
【符号の説明】
【００３８】
１  リール本体
５  ハンドル
３０  ハンドルアーム
３１  支軸
３２  握部
３２Ａ  第１の延在部
３２Ｂ  第２の延在部
３９  貫通穴
４０  操作ノブ
５０  Ｏリング
５６  握部本体
５７  調整握部材
６２  雌ネジ
６３  雄ネジ
９２  係合部
Ｓ  空洞部
【図１】
0006603147.tif 000002
【図２】
0006603147.tif 000003
【図３】
0006603147.tif 000004
【図４】
0006603147.tif 000005
【図５】
0006603147.tif 000006